(57)【要約】【課題】  屋外装置の同軸コネクタを防水構造とする際に、コネクタの種類形状に関わらず共通して繰り返し使用でき、高い防水性能を安価に実現する。【解決手段】  同軸コネクタ４とケーブル６との間を防水構造とするため、一端に同軸コネクタ４の軸部４ａより小径の第１の開口部２ｂと、他端にケーブル６より小径の第２の開口部２ａとを備え、柔軟性を有する袋状の防水用キャップ２と、キャップ２を同軸コネクタ４とケーブル６との間に装着した際に、キャップ２を覆う保護カバー３とを備える防水構造５。キャップ２は、第１の開口部２ｂ及び／または第２の開口部２ａの近傍に、開口部を拡開するためのつまみ部２ｃを有し、保護カバー３は、２つの半円筒形状部材の１辺を結合し、結合していない２辺に契合爪３ａと契合穴３ｂとを有し、これらを契合させてキャップ２の上部に固定可能とするのが好ましい。【選択図】  図２
2005322418.tif 000002
【特許請求の範囲】
【請求項１】
同軸コネクタと、該同軸コネクタに接続されるケーブルとの間の防水構造であって、
一端に前記同軸コネクタの軸部より小径の第１の開口部と、他端に前記ケーブルより小径の第２の開口部とを備え、柔軟性を有する袋状のキャップと、
該キャップを前記同軸コネクタとケーブルとの間に装着した際に、該キャップを覆う保護カバーとを備えることを特徴とする防水構造。
【請求項２】
前記キャップは、前記第１の開口部及び／または前記第２の開口部の近傍に、該第１の開口部及び／または該第２の開口部を拡開するためのつまみ部を有することを特徴とする請求項１に記載の防水構造。
【請求項３】
前記保護カバーは、２つの半円筒形状部材の１辺を結合し、結合していない２辺の一方に契合爪と、他方に該契合爪に契合可能な契合穴とを有し、前記キャップを覆うようにして該契合爪と契合穴と契合させることにより、前記キャップの上部に固定可能であることを特徴とする請求項１に記載の防水構造。
【請求項４】
同軸コネクタと、該同軸コネクタに接続されるケーブルとの間を防水構造とするための防水用キャップであって、
一端に前記同軸コネクタの軸部より小径の第１の開口部と、他端に前記ケーブルより小径の第１の開口部とを備え、柔軟性を有する袋状に形成されることを特徴とする防水用キャップ。
【請求項５】
前記第１の開口部及び／または前記第２の開口部の近傍に、該第１の開口部及び／または該第２の開口部を拡開するためのつまみ部を有することを特徴とする請求項４に記載の防水用キャップ。
【発明の詳細な説明】
【技術分野】
【０００１】
本発明は、防水構造及び防水用キャップに関し、特に、屋外に設置された無線通信機器のインターフェース部に備えられた同軸コネクタ等への水の侵入を防止するために用いられる防水構造及び防水用キャップに関する。
【背景技術】
【０００２】
従来、屋外に設置されている無線通信機器等のケーブル接続インターフェース部については、コネクタ自身の防水構造に頼っているものがある。例えば、特許文献１に記載の防水コネクタは、外周部分に合成ゴム系材料を採用し、外包体とケーブルとを十分に密着させて高い防水性能を発揮する。
【０００３】
また、特許文献２に記載のコネクタ用防水カバーは、合成樹脂製カバーの両端に防水材を備え、圧着コネクタ及び該コネクタから延出した電線ケーブルの延出根本部分を水密的にカバーし、確実な防水と絶縁を達成している。
【０００４】
さらに、特許文献３には、屋外装置のケーブル接続インターフェース部の絶縁、防水等を図るため、この部分に巻き付ける自己融着テープが開示されている。
【０００５】
【特許文献１】特開２００３−１１５３５３号公報
【特許文献２】特開２００２−５６９０６号公報
【特許文献３】実開昭５７−１４７２４０号公報
【発明の開示】
【発明が解決しようとする課題】
【０００６】
しかし、特許文献１に記載の防水コネクタは、高い防水性能を発揮するものの、構造が複雑で、高価であるという問題があった。
【０００７】
また、特許文献２に記載のコネクタ用防水カバーは、両端にのみ防水材を設けているに過ぎないため、合成樹脂製カバーの中央部の防水性能を保つのは困難であるという問題があった。このコネクタ用防水カバーは、線材径の違いを吸収することができるが、合成樹脂カバーに防水材収納凹部が存在するため、装置に直接実装されている多種にわたる外形の異なるコネクタとケーブルとを接続する部分に同じカバーを適用するのは困難である。
【０００８】
さらに、特許文献３に記載の自己融着テープ等を屋外装置のケーブル接続インターフェース部に巻きつけるには、作業時間が必要になるとともに、ケーブルを取り外す際には、融着したテープを切断しながら剥がす作業が必要となり、ケーブルを再度接続する時には、再びテープを巻きつけなければならず、煩雑であるという問題があった。
【０００９】
そこで、本発明は、上記従来の技術における問題点に鑑みてなされたものであって、屋外に設置される無線通信機器等のケーブル接続インターフェース部、特に、同軸コネクタへの水の侵入を防止するにあたって、コネクタの種類、形状に関わらず共通して使用することができ、繰り返し使用も可能で、高い防水性能を安価に実現することのできる防水構造等を提供することを目的とする。
【課題を解決するための手段】
【００１０】
上記目的を達成するため、本発明は、同軸コネクタと、該同軸コネクタに接続されるケーブルとの間の防水構造であって、一端に前記同軸コネクタの軸部より小径の第１の開口部と、他端に前記ケーブルより小径の第２の開口部とを備え、柔軟性を有する袋状のキャップと、該キャップを前記同軸コネクタとケーブルとの間に装着した際に、該キャップを覆う保護カバーとを備えることを特徴とする。
【００１１】
そして、本発明によれば、第１の開口部に同軸コネクタの軸部を挿入し、第２の開口部にケーブルを挿入し、柔軟性を有するキャップと同軸コネクタの軸部及びケーブルとを密着させるだけで防水構造を構成することができ、保護カバーでキャップを覆うことにより、キャップの耐候性を向上させるとともに鳥害対策を兼ねることもできる。これによって、屋外に設置される無線通信機器等の同軸コネクタへの水の侵入を防止するにあたって、コネクタの種類形状に関わらず共通して使用することができ、繰り返し使用も可能で、高い防水性能を安価に実現することが可能となる。
【００１２】
前記防水構造において、前記キャップを、前記第１の開口部及び／または前記第２の開口部の近傍に、該第１の開口部及び／または該第２の開口部を拡開するためのつまみ部を有するように構成することができる。これによって、第１の開口部及び／または第２の開口部をより容易に拡開することができ、作業性が向上する。
【００１３】
前記防水構造において、前記保護カバーを、２つの半円筒形状部材の１辺を結合し、結合していない２辺の一方に契合爪と、他方に該契合爪に契合可能な契合穴とを有し、前記キャップを覆うようにして該契合爪と契合穴と契合させることにより、前記キャップの上部に固定可能に構成することができる。これによって、保護カバーを簡単にキャップを覆うように装着することができ、作業性が向上する。
【００１４】
また、本発明は、同軸コネクタと、該同軸コネクタに接続されるケーブルとの間を防水構造とするための防水用キャップであって、一端に前記同軸コネクタの軸部より小径の第１の開口部と、他端に前記ケーブルより小径の第１の開口部とを備え、柔軟性を有する袋状に形成されることを特徴とする。これによって、上述のように、屋外に設置される無線通信機器等の同軸コネクタへの水の侵入を防止する際に、コネクタの種類形状に関わらず共通して使用可能で、繰り返し使用することもでき、高い防水性能を安価に実現することができる。
【００１５】
前記第１の開口部及び／または前記第２の開口部の近傍に、該第１の開口部及び／または該第２の開口部を拡開するためのつまみ部を有するように構成し、第１の開口部及び／または第２の開口部をより容易に拡開可能として作業性を向上させることができる。
【発明の効果】
【００１６】
本発明によれば、屋外に設置される無線通信機器等の同軸コネクタへの水の侵入を防止するにあたって、コネクタの種類形状に関わらず共通して使用することができ、繰り返し使用も可能で、高い防水性能を安価に実現することができる。
【発明を実施するための最良の形態】
【００１７】
図１は、本発明にかかる防水構造の一実施の形態を示し、この防水構造５は、屋外装置７のインターフェース部１において、同軸コネクタ４とケーブル６との接続部を覆って水に侵入を防止するものであり、図２に示すように、防水用キャップ（以下、「キャップ」と略称する）２と保護カバー３とで構成される。
【００１８】
キャップ２は、ＥＰＤＭ−１（エチレンプロピレン）等で形成され、柔軟性と伸縮に耐えうる強度を有する。キャップ２のケーブル挿入口（第１の開口部）２ａは、ケーブル６の径よりも小さく、また、同軸コネクタ挿入口（第２の開口部）２ｂは、図１に示した屋外装置７のインターフェース部１の同軸コネクタ４の軸部４ａの径よりも小さく形成されている。尚、ケーブル挿入口２ａの径は、多種にわたるケーブル６の径に対応できる寸法に形成される。
【００１９】
また、キャップ２の同軸コネクタ挿入口２ｂ側には、引き伸ばし用つまみ部（以下、「つまみ部」と略称する）２ｃが備えられる。屋外装置７側のキャップ２の同軸コネクタ挿入口２ｂ側は、保守等によりケーブル６を抜き差しするため、伸縮させる頻度が高いからである。つまみ部２ｃは、高強度とするため、キャップ２の他の部分よりも厚く形成している。
【００２０】
保護カバー３は、図２及び図４に示すように、半円筒形状２個の１辺が結合した形状を有し、結合していない２辺に契合爪３ａと契合穴３ｂとを各々有する。保護カバー３を閉じることにより、契合爪３ａが契合穴３ｂに入り互いに固定される。保護カバー３を閉じた時のコネクタ側開口部３ｃが、キャップ２の凹部２ｄを締め付け、防水性を向上させることも可能である。保護カバー３は、ＰＰ（ポリプロピレン）等の合成樹脂で形成され、キャップ２の耐候性を向上させるとともに鳥害対策も兼ねている。
【００２１】
次に、上記構成を有する防水構造５の動作について、図３を中心に参照しながら説明する。
【００２２】
まず、図３（ａ）に示すように、ケーブル挿入口２ａの周囲を指でつまみ、ケーブル挿入口２ａを広げてケーブル６のコネクタ部１０を通し、キャップ２にケーブル６を挿入する。ここで、キャップ２のケーブル挿入口２ａの径は、ケーブル６の外径よりも小さいが、キャップ２の有する柔軟性によりケーブル６のコネクタ１０を挿通させることができる。ケーブル挿入口２ａは、ケーブル６の径よりも小さいため、ケーブル挿入口２ａとケーブル６が密接して防水性を得る。
【００２３】
次に、図３（ｂ）、（ｃ）に示すように、キャップ２のつまみ部２ｃを引き伸ばし、ケーブル６のコネクタ部１０を同軸コネクタ挿入口２ｂの外に出す。この際も、キャップ２の同軸コネクタ挿入口２ｂの径は、ケーブル６のコネクタ部１０の外形よりも小さいが、キャップ２のつまみ部２ｃを引き伸ばすことによりケーブル６のコネクタ部１０を通すことができる。そして、ケーブル６を図１に示した屋外装置７のインターフェース部１の同軸コネクタ４に接続する。
【００２４】
次に、図３（ｄ）に示すように、ケーブル６側に縮めているキャップ２を屋外装置７のインターフェース部１の同軸コネクタ４の軸部４ａまで引き伸ばす。これにより、屋外装置７のインターフェース部１が完全にキャップ２の中に入る。
【００２５】
最後に、図４に示すように、キャップ２を覆うようにして、保護カバー３を装着する。保護カバー３を閉じることにより、契合爪３ａと契合穴３ｂとが契合し、保護カバー３のコネクタ側開口部３ｃが凹部２ｄに固定される。
【００２６】
先に述べたように、ＥＰＤＭ−１（エチレンプロピレン）製のキャップ２における、ケーブル挿入口２ａは、ケーブル６の径よりも小さく、同軸コネクタ挿入口２ｂは、同軸コネクタ４の同軸コネクタ軸部４ａよりも小さいため、キャップ２は、ケーブル６、コネクタ軸部４ａの各々と密着し、防水性を満足させることができる。
【００２７】
尚、保守時等には、防水構造５を取り外し、上記と逆の手順でケーブル６を外すことができ、防水構造５を繰り返し使用することもできる。
【００２８】
図５は、本発明にかかる防水構造の他の実施の形態を示し、この防水構造は、基本的な構成は上記防水構造と同様であるが、キャップ２の両端につまみ部２ｃを設けたことを特徴としている。これによって、ケーブル６をキャップ２に挿入する際の作業性がさらに向上する。
【図面の簡単な説明】
【００２９】
【図１】本発明にかかる防水構造の一実施の形態の使用状態を示す図であって、（ａ）は全体斜視図、（ｂ）は（ａ）の屋外装置のインターフェース部を示す拡大斜視図である。
【図２】図１の防水構造をインターフェース部に装着した状態を示す断面図である。
【図３】図１の防水構造のインターフェース部への装着手順を示す一部破断断面図である。
【図４】図１の防水構造のインターフェース部への装着手順を示す図であって、（ａ）は一部破断斜視図、（ｂ）は（ａ）の防水構造の状態を示す拡大図である。
【図５】本発明にかかる防水構造のもう一つの実施の形態を示す図であって、この防水構造をインターフェース部に装着した状態を示す断面図である。
【符号の説明】
【００３０】
１      インターフェース部
２      キャップ
２ａ    ケーブル挿入口
２ｂ    同軸コネクタ挿入口
２ｃ    つまみ部
２ｄ    凹部
３      保護カバー
３ａ    契合爪
３ｂ    契合穴
３ｃ    コネクタ側開口部
４      同軸コネクタ
４ａ    軸部
５      防水構造
６      ケーブル
７      屋外装置
１０    コネクタ
【図１】
2005322418.tif 000003
【図２】
2005322418.tif 000004
【図３】
2005322418.tif 000005
【図４】
2005322418.tif 000006
【図５】
2005322418.tif 000007